(57)【要約】【課題】スイッチの押し位置が固定されず、スイッチ機能に応じて最適な配置を自由に設定可能で、画質の劣化、画面の汚れ、表示エリアの圧迫等の問題も生じない操作スイッチ装置を提供する。【解決手段】ディスプレイ装置８におけるディスプレイ１１の周辺に操作信号入力用のスイッチ１２が配置されている。このスイッチ１２はディスプレイ１１の周辺の各辺に沿って長く延びるライン状スイッチ１２とされると共に、ライン状スイッチ１２における長さ方向異なる位置での押し操作された押し位置を判定する処理部が備えられている。ライン状スイッチ１２の各押し位置に応じたスイッチ機能２３がディスプレイ１１の画面１１ａ上に表示される。【選択図】        図５
2004179036.tif 000002
【特許請求の範囲】
【請求項１】
ディスプレイの周辺に操作信号入力用のスイッチが配置された操作スイッチ装置において、
前記スイッチが前記ディスプレイの周辺の少なくとも一部の辺に沿って長く延びるライン状スイッチとされると共に、該ライン状スイッチにおける長さ方向異なる位置での押し操作された押し位置を判定する処理部が備えられてなることを特徴とする操作スイッチ装置。
【請求項２】
前記ライン状スイッチの各押し位置に応じたスイッチ機能が前記ディスプレイの画面上に表示されることを特徴とする請求項１に記載の操作スイッチ装置。
【請求項３】
前記ディスプレイの画面上に表示される前記スイッチ機能が、前記ライン状スイッチの押し操作に応じて、階層的に、変更表示可能とされていることを特徴とする請求項２に記載の操作スイッチ装置。
【請求項４】
それぞれの前記スイッチ機能に応じて、前記ディスプレイの画面上に、各押し位置の配置、前記ライン状スイッチにおける長さ方向の押し位置の分割数および各押し位置の長さが、変更表示可能とされていることを特徴とする請求項２または請求項３に記載の操作スイッチ装置。
【発明の詳細な説明】
【０００１】
【発明の属する技術分野】
本発明は、自動車等に搭載されるテレビやナビゲーションシステム、ＣＤやＭＤ等のオーディオ機器等が統合された複合機器等に好適な操作スイッチ装置に関するものである。
【０００２】
【従来の技術】
従来、自動車等の車両に搭載されるテレビやナビゲーションシステム、ＣＤやＭＤやＡＭ／ＦＭラジオ等のオーディオ機器等が統合されたディスプレイ装置があり、例えば、図１７に示される如く、ディスプレイ装置１におけるディスプレイ２の周辺に、複数のスイッチ３を配置した構造のものがある。
【０００３】
このような周辺に配置されたスイッチ３としては、それぞれの機能が固定されてキートップあるいはスイッチ３の横に、それそれの機能を表示するスイッチ名称がプリントされたスイッチ３と、機能が固定されずにディスプレイ２の画面上にスイッチ３の機能をそれぞれ表示し、任意に変更可能とされたスイッチ３がある。
【０００４】
また、ディスプレイの画面をスイッチとするためのタッチパネルも製品化されている（例えば、特許文献１参照）。
【０００５】
【特許文献１】
特開平１０−１６１８１２号公報
【０００６】
【発明が解決しようとする課題】
しかしながら、前記ディスプレイ２の周辺に各スイッチ３が配置された構造によれば、機能変更が可能なスイッチ３であっても、それぞれのスイッチ３の押し位置は定位置に決められており、融通性に難点があった。
【０００７】
また、ディスプレイの表面にタッチパネルを貼り付ける構造にあっては、画質の劣化や画面の汚れを招き、さらにはタッチパネルの価格が高いためコスト高を招くおそれもあった。さらに、操作性向上の目的から押しボタン領域を大きく表示すれば、ディスプレイの表示エリアを圧迫するという問題もある。
【０００８】
そこで、本発明の課題は、スイッチの押し位置が固定されず、スイッチ機能に応じて最適な配置を自由に設定可能で、画質の劣化、画面の汚れ、表示エリアの圧迫等の問題も生じない操作スイッチ装置を提供することにある。
【０００９】
【課題を解決するための手段】
上記課題を解決するための技術的手段は、ディスプレイの周辺に操作信号入力用のスイッチが配置された操作スイッチ装置において、前記スイッチが前記ディスプレイの周辺の少なくとも一部の辺に沿って長く延びるライン状スイッチとされると共に、該ライン状スイッチにおける長さ方向異なる位置での押し操作された押し位置を判定する処理部が備えられてなる点にある。
【００１０】
また、前記ライン状スイッチの各押し位置に応じたスイッチ機能が前記ディスプレイの画面上に表示される構造としてもよい。
【００１１】
さらに、前記ディスプレイの画面上に表示される前記スイッチ機能が、前記ライン状スイッチの押し操作に応じて、階層的に、変更表示可能とされている構造としてもよい。
【００１２】
また、それぞれの前記スイッチ機能に応じて、前記ディスプレイの画面上に、各押し位置の配置、前記ライン状スイッチにおける長さ方向の押し位置の分割数および各押し位置の長さが、変更表示可能とされている構造としてもよい。
【００１３】
【発明の実施の形態】
以下、本発明の第１の実施形態を図面に基づいて説明すると、図１ないし図６に示される如く、操作スイッチ装置１０は、自動車等の車両に搭載されるテレビやナビゲーションシステム、ＣＤやＭＤやＡＭ／ＦＭラジオ等のオーディオ機器等が統合されたディスプレイ装置８における操作スイッチ装置を構成し、例えば液晶モジュールから構成される画面表示用ディスプレイ１１と、細長いライン状スイッチ１２と、ライン状スイッチ１２を収容する保持枠体１３と、これらディスプレイ１１、ライン状スイッチ１２、保持枠体１３が収容されるカバーケース体１４とを備えている。
【００１４】
前記ライン状スイッチ１２は、細長いテープ状抵抗体部材１６と断面門型状の細長いスイッチ操作部材１７とから構成されており、テープ状抵抗体部材１６は、図２の断面図にも示される如く、絶縁性を有する帯状のフィルム基材１８と、該フィルム基材１８の一側面に接着層１９を介して所定間隔を有する略平行状に貼り付けられた一対の抵抗線材２０ａ、２０ｂとから構成されている。
【００１５】
この際、フィルム基材１８としては、例えば、ポリエステルフィルム、ポリイミドフィルム等の各種フィルム素材が使用でき、接着層１９としては、熱融着型、加熱硬化型、２液混合型、紫外線硬化型等の各種接着剤が使用できる。そして、フィルム基材１８に対する両抵抗線材２０ａ、２０ｂの貼り付けに際しては、ローラー等により連続して貼り付けることが可能で、生産性に優れ、その完成品の取扱いも容易である。
【００１６】
また、抵抗線材２０ａ、２０ｂとしては、各種材料が使用できるが、抵抗の安定性、耐熱性、耐酸化性、コスト等の面で、ニクロム線、ニッケル合金線が好ましい。そして、各抵抗線材２０ａ、２０ｂは同一長さで、その長さ方向に対して単位長さあたり一定の同一抵抗値を有する構造とされている。
【００１７】
スイッチ操作部材１７は、シリコーンゴム等の弾性体により断面門型状に形成された細長状の操作部材本体２１と、該操作部材本体２１の内側面に装着されると共に長手方向に沿って適宜幅を有する帯状の導電性シリコーンゴム等からなる導電部材２２とから構成されている。
【００１８】
操作部材本体２１は、両抵抗線材２０ａ、２０ｂから所定隙間を有して離隔配置された頂部の押し操作部２１ａと、押し操作部２１ａ両側縁より漸次拡開状に延設された対の弾性脚部２１ｂと、両弾性脚部２１ｂの延設端にそれぞれ備えられると共にテープ状抵抗体部材１６側に載置状とされる載置基部２１ｃとにより断面門型状に形成され、押し操作部２１ａの内面側に前記導電部材２２が接着等により装着されている。
【００１９】
そして、操作部材本体２１の弾性に抗して押し操作部２１ａを押し操作すれば、両弾性脚部２１ｂの弾性変形を介して導電部材２２が両抵抗線材２０ａ、２０ｂ間を短絡するように構成され、押し操作を解除すれば、操作部材本体２１は初期状態に弾性復帰して両抵抗線材２０ａ、２０ｂの短絡が解除されるように構成されている。
【００２０】
前記保持枠体１３は、矩形状に構成されたディスプレイ１１が嵌合状とされる嵌合口１３ａを有した矩形環状の枠体を構成し、その一側面にライン状スイッチ１２を収容すべく、周方向に沿った環状のスイッチ収容溝１３ｂが備えられている。
【００２１】
また、スイッチ収容溝１３ｂの適宜位置には、収容配置されたテープ状抵抗体部材１６を引き込むための引込口（図示省略）が適宜形成されている。
【００２２】
前記カバーケース体１４には、ディスプレイ１１の画面１１ａを表面側に露出すべく、矩形の表示窓１４ａが開口形成されると共に、前記スイッチ収容溝１３ｂ位置に対応する表示窓１４ａ周辺の各辺に沿って、細長状のスイッチ用開口１４ｂがそれぞれ形成されている。
【００２３】
また、前記スイッチ操作部材１７は、カバーケース体１４の各スイッチ用開口１４ｂに対応する長さを有する４分割構造とされている。
【００２４】
そして、保持枠体１３の嵌合口１３ａにディスプレイ１１が嵌合され、保持枠体１３のスイッチ収容溝１３ｂに沿ってテープ状抵抗体部材１６が略環状に収容配置されると共に、スイッチ収容溝１３ｂの４辺それぞれにスイッチ操作部材１７の載置基部２１ｃ側が収容配置され、これらを覆ってカバーケース体１４が装着されている。この際、各スイッチ用開口１４ｂから各スイッチ操作部材１７の押し操作部２１ａが外面側に突出状となるように構成されている。
【００２５】
また、保持枠体１３のスイッチ収容溝１３ｂに対してテープ状抵抗体部材１６を環状に配置する場合の各コーナー位置では、例えば、図４に示されるように、長さ方向に対して略４５度の角度で一旦、折り曲げ、さらに１８０度折り返すことにより矩形環状に配置する構成とすればよい。
【００２６】
そして、図５および図６に示される如く、ディスプレイ１１の画面１１ａ上には、スイッチ操作部材１７における押し操作部２１ａの各押し位置に応じた各種のスイッチ機能２３がいわゆるオーバーレイ表示されるように構成されている。この表示されるスイッチ機能２３には、押し位置の範囲や操作対象等の内容が表示され、ライン状スイッチ１２に対する押し操作に応じて、階層的に、そのスイッチ機能２３の表示内容が、必要とされる機能に応じて順次変更されるように構成されている。
【００２７】
この際、ディスプレイ１１の画面１１ａに表示される各押し位置の配置、ライン状スイッチ１２における長さ方向の押し位置の分割数および各押し位置の長さが、必要とされる機能に応じて適宜変更されて表示されるように構成されている。
【００２８】
次に、ライン状スイッチ１２における長さ方向異なる位置での押し操作された押し位置を判定する処理部につき説明する。
【００２９】
即ち、図７に示される如く、平行配置された両抵抗線材２０ａ、２０ｂ間にまたがると共にその長さ方向に沿って所定の長さを有する導電部材２２が配置されており、導電部材２２による導通位置を検出する処理部２５が備えられ、処理部２５が押し操作部２１ａの押し操作によって導電部材２２を介しての両抵抗線材２０ａ、２０ｂの導通位置を判定することにより、押し位置に対応する操作信号の入力が受け付けられるように構成されている。
【００３０】
両抵抗線材２０ａ、２０ｂは、所定方向に長く延びた形態（本実施形態では線状の形態）を有し、単位長さあたり一定の同一抵抗値を有している。そして、抵抗線材２０ａの一方側端部２０Ａは、配線２６を介して図示しない電源回路に接続され、所定の定電圧Ｖ１（第１の定電圧）が印加される。抵抗線材２０ａの他方側端部２０Ｂは、第１の電圧検出位置として設定され、配線２７を介して処理部２５に接続され、その他方側端部２０Ｂの電圧値ＡＤ１が処理部２５によって検出される。抵抗線材２０ａの一方側端部２０Ａと同方向の端部である抵抗線材２０ｂの一方側端部２０Ｃが、第２の電圧検出位置として設定され、配線２８を介して処理部２５に接続され、その一方側端部２０Ｃの電圧値ＡＤ２が処理部２５によって検出される。抵抗線材２０ｂの他方側端部２０Ｄは、配線２９を介してグランドに接続される。なお、本実施形態では、抵抗線材２０ｂの他方側端部２０Ｄをグランドに接続するようにしたが、この他方側端部に、抵抗線材２０ａの一方側端部２０Ａに印加する定電圧Ｖ１よりも低い定電圧（第２の定電圧）Ｖ２を印加するようにしてもよい。
【００３１】
そして、押し操作部２１ａに対する押し操作によって導電部材２２が押し操作されると、両抵抗線材２０ａ、２０ｂに電気的に接触して抵抗線材２０ａ、２０ｂ間を電気的に導通させ、押し操作が解除されるのに伴って抵抗線材２０ａ、２０ｂから離反するように構成されている。即ち、ライン状スイッチ１２の押し操作部２１ａに対して押し操作が行われている間だけ、その押し操作されている押し位置に対応する抵抗線材２０ａ、２０ｂの部分がその導電部材２２を介して間接的に導通するように構成されている。
【００３２】
このため、いずれの位置においても押し操作部２１ａが押し操作されていない（オンされていない）場合には、抵抗線材２０ａ、２０ｂ間は電気的に遮断されている。このとき、抵抗線材２０ａの他方側端部２０Ｂの電圧値ＡＤ１は、定電圧Ｖ１と等しくなっており、抵抗線材２０ｂの一方側端部２０Ｃの抵抗値ＡＤ２は、グランドレベルになっている。そして、いずれかの位置で押し操作部２１ａが押し操作された場合には、導電部材２２を介して抵抗線材２０ａ、２０ｂ間が導通し、その押し操作された押し操作部２１ａの位置に応じて、電圧値ＡＤ１、ＡＤ２の値が変化する。
【００３３】
そこで、この電圧値ＡＤ１，ＡＤ２の変化状況に基づいて、押し操作部２１ａの内面側に装着された導電部材２２に対する押し操作の有無、および長さ方向のいずれの押し位置で押し操作されたかを判定するように構成されている。例えば、導電部材２２における押し位置２２Ａ、２２Ｂ、２２Ｃが抵抗線材２０ａ、２０ｂの一方側端部２０Ａ、２０Ｃからの距離は、Ｌ１、Ｌ２、Ｌ３に設定されている。
【００３４】
ここで、本実施形態では、抵抗線材２０ａの一方側端部２０Ａに定電圧Ｖ１を印加し、抵抗線材２０ｂの他方側端部２０Ｄをグランドに接続した状態で、抵抗線材２０ａの他方側端部２０Ｂおよび抵抗線材２０ｂの一方側端部２０Ｃの電圧値ＡＤ１、ＡＤ２を検出する構成であるため、押し操作部２１ａが押し操作されて抵抗線材２０ａ、２０ｂ間が導電部材２２を介して導通した際に、抵抗線材２０ａの一方側端部２０Ａから導電部材２２の接触位置までの部分にかかる分圧、および抵抗線材２０ｂの導電部材２２の接触位置から他方側端部２０Ｄまでの部分にかかる分圧等を、抵抗線材２０ａ、２０ｂ間の導電部材２２を介した接触抵抗の影響を受けずに正確に把握できるように構成されている。
【００３５】
処理部２５は、抵抗線材２０ａの一方側端部２０Ａの電圧値ＡＤ１および抵抗線材２０ｂの他方側端部２０Ｄの電圧値ＡＤ２を検出するための電圧検出機能と、その検出した電圧値ＡＤ１，ＡＤ２に基づいて押し操作部２１ａの押し操作された押し位置を判定するための判定処理機能と、その判定結果を外部に出力するための出力機能とを備えている。この処理部２５の具体的構成としては、種々の構成が考えられるが、例えば、電圧検出を行うアナログ検出素子および演算判定素子等を組み合わせて構成してもよいし、カスタム化されたＩＣを用いて構成してもよいし、電圧信号の入力を受け付けるアナログ入力ポートを有する汎用マイコンを用いて構成してもよい。
【００３６】
なお、電圧値ＡＤ１、ＡＤ２の検出に関係する回路には、使用環境に応じて、電磁ノイズ対策回路、静電気対策回路を設けるのが望ましい。
【００３７】
図８は抵抗線材２０ａ、２０ｂ間の導通が生じた際の回路構成を模式的に示す図であり、抵抗線材２０ａ、２０ｂの一方側端部２０Ａ、２０Ｃからの距離がＬｘの位置で押し操作部２１ａが押し操作されて抵抗線材２０ａ、２０ｂ間の導通が生じた状態に対応している。図８中のＲ１は抵抗線材２０ａ、２０ｂの一方側端部２０Ａ、２０Ｃから距離Ｌｘの位置までの部分の抵抗値を示し、Ｒ２は抵抗線材２０ａ、２０ｂの距離Ｌｘの位置から他方側端部２０Ｂ、２０Ｄまでの部分の抵抗値を示し、Ｒｃは導電部材２２を介した抵抗線材２０ａ、２０ｂ間の接触抵抗値を示している。なお、一般の場合、電圧値検出のための処理部２５等へ入力インピーダンスは十分大きく設定されるため、以下の議論において配線２７、２８を介して処理部２５に流れる電流は無視している。
【００３８】
この導通状態において、抵抗線材２０ｂの他方側端部２０Ｄの電圧値をＶ２とすると、変数Ｌ、Ｌｘ、Ｒ１、Ｒ２、Ｖ１、Ｖ２、ＡＤ１、ＡＤ２の間には、一例として、
【００３９】
【数１】
2004179036.tif 000003
【００４０】
のような関係があり、この関係を用いて、押し操作されている導電部材２２の押し位置を特定することができる。なお、本実施形態では、抵抗線材２０ｂの他方側端部２０Ｄをグランドに接続したため、電圧値Ｖ２は０と構成されている。
【００４１】
例えば、前記式（１）より、Ｖ２＝０として、
【００４２】
【数２】
2004179036.tif 000004
【００４３】
の関係式が得られ、この関係式を用いて、既知の値Ｖ１および測定値ＡＤ１、ＡＤ２からＬｘ／Ｌの値（位置算出値）を算出し、その算出値に基づいて操作されている導電部材２２の押し位置を特定するようにしてもよい。
【００４４】
なお、上記式（１）、（２）は、一例に過ぎず、既知の値Ｖ１および測定値ＡＤ１、ＡＤ２を用いて導電部材２２の押し位置を特定可能な関係式としては、種々のものが考えられる。例えば、他の例としては、Ｖ２＝０として、
【００４５】
【数３】
2004179036.tif 000005
【００４６】
があり、この関係式を用いて、Ｌｘ／（Ｌ−Ｌｘ）の値（位置算出値）を算出し、その算出値に基づいて操作されている導電部材２２の押し位置を特定するようにしてもよい。
【００４７】
また、電圧値Ｖ１、ＡＤ１、ＡＤ２と抵抗値Ｒ１、Ｒ２、Ｒｃとの間には、
【００４８】
【数４】
2004179036.tif 000006
【００４９】
のような関係がある（なお、式（４）において「＊」は乗算記号である（以下、同様））。このため、電圧値ＡＤ１、ＡＤ２の差に基づいて、導電部材２２が安定接触状態となっているか否かを判定することができる。
【００５０】
即ち、接触抵抗値Ｒｃは、導電部材２２に対する押圧力または押圧量等に応じて図９のグラフのように変化し、一定値（Ｆｓｔ）以上の押圧力等が与えられると安定接触状態（図９のハッチング領域）となる。そこで、安定接触状態と判断できる接触抵抗値Ｒｃの上限値をＲｃｓｔとし、また、接触抵抗値ＲｃがＲｃｓｔとなるときのＡＤ１−ＡＤ２の値をＶｓｔ（本発明にかかる所定の値、第１の基準値）とすると、前記式（４）は、
【００５１】
【数５】
2004179036.tif 000007
【００５２】
となる。これより、ＡＤ１−ＡＤ２の値が、
【００５３】
【数６】
2004179036.tif 000008
【００５４】
の関係を満たせば、導電部材２２が安定接触状態にあると判断できる。
【００５５】
次に、図１０に基づいて、処理部２５のスイッチ位置の検出動作について説明する。まずステップＳ１で、電圧値ＡＤ１、ＡＤ２の検出が行われる。続くステップＳ２で、ＡＤ１−ＡＤ２の値がＶｓｔ以下であるか否か、即ちいずれかの押し位置で押し操作部２１ａが押し操作されて安定接触状態となっているか否かが判定され、これによって押し操作部２１ａが押し操作（オン）されたか否かが判定される。そして、押し操作部２１ａが押し操作されたと判断された場合にはステップＳ３に進む一方、いずれの押し位置においても押し操作されていないと判断された場合にはステップＳ１に戻り、押し操作部２１ａが操作されるまでステップＳ１、Ｓ２の処理が繰り返される。
【００５６】
ここで、ステップＳ２において、押し操作部２１ａの押し操作が検出されなかった場合には、スイッチ操作なしを示す信号を外部機器に出力するようにしてもよい。
【００５７】
ステップＳ３では、前記式（２）により、検出した電圧値ＡＤ１、ＡＤ２と予め処理部２５に登録された既知の電圧値Ｖ１とに基づいて、Ｌｘ／Ｌの値が算出される。
【００５８】
続くステップＳ４では、その算出した位置計算値Ｌｘ／Ｌに基づいて、いずれの押し位置で押し操作部２１ａが押し操作されたのかが特定され、特定した押し位置に対応する信号がディスプレイ装置８を制御する制御部に出力される。より詳細には、処理部２５には、図１１に示すような押し操作された押し位置、即ちスイッチ位置判定用テーブルＴ１が予め登録されている。そのテーブルＴ１には、ライン状スイッチ１２の長さ方向複数の押し位置に一対一に対応する複数の計算値区間Ｑ１が位置計算値Ｌｘ／Ｌの取り得る値に応じて設定されている。その各計算値区間Ｑ１は、所定の下限値（Ａ１、Ａ２、Ａ３・・・）および上限値（Ｂ１、Ｂ２、Ｂ３・・・）によって規定されており、電磁ノイズの影響、製造バラツキ等による電圧値ＡＤ１、ＡＤ２のバラツキ等を考慮して誤検出が起こらないように所定の幅を持たせて設定するのが好ましい。なお、各計算値区間Ｑ１は、理論的な計算結果に基づいて設定してもよく、実際に押し操作部２１ａの長さ方向異なる各位置で押し操作してその試験結果から得られる測定値に基づいて設定してもよい。
【００５９】
そして、ステップＳ３で算出された位置計算値Ｌｘ／Ｌが、その複数の計算区間Ｑ１のうちのいずれに属するかを判定することにより、いずれの押し位置で押し操作部２１ａが押し操作されたかが判定されるように構成されている。このステップＳ４において、特定された押し位置が押し操作された（オンされた）ことを示す信号を制御部に出力し、その信号に応じた処理が制御部によってなされるように構成されている。
【００６０】
ステップＳ４での処理が終了すると、再びステップＳ１に戻り、ステップＳ１〜Ｓ４が繰り返されることにより、押し操作部２１ａにおける押し位置の操作検出が行われる。
【００６１】
なお、上述の処理のステップＳ３、Ｓ４では、前記式（２）の関係に基づいて押し操作部２１ａにおける押し位置の検出を行うようにしたが、前記式（２）以外の関係式、例えば前記式（３）を用いて押し位置の検出を行うようにしてもよい。
【００６２】
また、電磁ノイズ、チャタリング等の影響による誤動作を防止するため、ソフト的なフィルタ処理として、ステップＳ１等の電圧値ＡＤ１、ＡＤ２の検出の際には、電圧値ＡＤ１、ＡＤ２の平均化処理を行うようにしてもよく、あるいは、ステップＳ１からステップＳ４にかけてのスイッチ位置検出のための処理を複数回行い、その各回で検出した押し位置が一致した場合に、押し位置の検出結果を確定的なものとして制御部に出力するようにしてもよい。
【００６３】
以上のように、本実施形態によれば、ディスプレイ装置８における画面１１ａ周辺の各辺に沿って、ライン状スイッチ１２が環状に配置されており、そのライン状スイッチ１２の長さ方向異なる任意の位置での押し操作された押し位置を処理部２５で判定できるように構成され、押し操作された押し位置を特定できるため、ディスプレイ装置８に要求される各種のスイッチ機能２３を画面１１ａ周囲に配置されたライン状スイッチ１２に割り当てることができる。
【００６４】
この際、従来のスイッチ３のように押し位置が固定されず、各スイッチ機能２３に応じて最適な配置を自由に設定することが可能であり、融通性に優れ、操作性に優れる操作スイッチ装置１０を提供できる利点がある。
【００６５】
即ち、各スイッチ機能２３に応じて、最適な押し位置の配置、最適な押し位置の長さ、最適な長さ方向の押し位置の分割数にそれぞれ設定することができる。
【００６６】
しかも、階層的に、各スイッチ機能２３を順次変更表示可能な構成とすることによって、多機能なディスプレイ装置８であっても容易に対応でき、必要とされるスイッチ機能２３を機能に応じた押し位置の配置、長さ、分割数で順次変更表示することによってその操作性にも一層優れる利点がある。
【００６７】
また、ディスプレイ１１の表面にタッチパネルを別途貼り付ける構造とは異なり、画質の劣化、画面の汚れ、表示エリアの圧迫等の問題も生じない。
【００６８】
さらに、保持枠体１３のスイッチ収容溝１３ｂにテープ状抵抗体部材１６を環状に配置するに際して、各コーナー位置で折り曲げる構成を採用しているが、この折り曲げ部分にはスイッチ操作部材１７が配置されないため、何ら支障が生じない。
【００６９】
また本実施形態の処理部２５の判定によれば、ライン状スイッチ１２における押し操作部２１ａの任意の位置が押し操作されて抵抗線材２０ａ、２０ｂ間が導電部材２２を介して導通した際に、抵抗線材２０ａの一方側端部２０Ａからその導電部材２２までの部分にかかる分圧、および抵抗線材２０ｂのその導電部材２２から他方側端部２０Ｄまでの部分にかかる分圧等を、抵抗線材２０ａ、２０ｂ間の導電部材２２を介した接触抵抗の影響を受けずに正確で把握できるため、ライン状スイッチ１２における長さ方向のいずれの押し位置で押し操作されたかを正確に特定することができる。
【００７０】
また、押し操作された押し位置を特定するための所定の位置計算値（例えば、Ｌｘ／Ｌ）を、変数Ｌ、Ｌｘ、Ｖ１、ＡＤ１、ＡＤ２の関係より容易に算出することができる。
【００７１】
さらに、ＡＤ１−ＡＤ２の値がＶｓｔ以下であるか否かを判定することにより、押し操作部２１ａが押し操作されたか否かを高い信頼性で容易に判定することができる。
【００７２】
また、ＡＤ１−ＡＤ２の値に基づいて押し操作部２１ａが押し操作されたと判定された場合にのみ、変数Ｌ、Ｌｘ、Ｖｄ、ＡＤ１、ＡＤ２の関係より、押し操作された押し位置を特定するための所定の位置計算値が算出され、押し操作された押し位置の特定が行われるため、操作が不十分である等の要因により導電部材２２が安定接触状態にない状態で、押し操作された押し位置の特定が行われるのを防止することができ、押し位置判定の信頼性の向上が図れる。
【００７３】
図１２は第２の実施形態を示しており、前記第１の実施形態と同様構成部分は同一符号を付し、その説明を省略する。
【００７４】
即ち、本実施形態においては、テープ状抵抗体部材１６における両抵抗線材２０ａ、２０ｂの両側方にさらに所定隙間を有して銅線や銅合金等からなる導体線３２ａ、３２ｂが接着層１９を介して平行配置された構造とされ、テープ状抵抗体部材１６の一端部で抵抗線材２０ａと導体線３２ａとが短絡されると共に抵抗線材２０ｂと導体線３２ｂとが短絡された構造とされている。この短絡方法としては、抵抗線材２０ａ、２０ｂと導体線３２ａ、３２ｂとを直接接続してもよく、別部品を用いて接続してもよい。例えば、接続の手段としては、溶接、端子部品３４での圧着、圧接、導電性ペーストでの導通、導電部品を押し圧しての導通等、各種手段を適宜採用すればよい。
【００７５】
また、このテープ状抵抗体部材１６以外は、第１の実施形態と同様に構成されている。
【００７６】
従って、本実施形態によっても第１の実施形態と同様の効果が得られると共に、テープ状抵抗体部材１６の一端部で各導体線３２ａ、３２ｂが各抵抗線材２０ａ、２０ｂにそれぞれ短絡されているため、テープ状抵抗体部材１６の他端部における片側のみから処理部２５、第１の低電圧、グランド等に接続される各電極を取出すことができ、組付性の向上が図れる利点もある。
【００７７】
なお、上記第１の実施形態および第２の実施形態において、抵抗線材２０ａ、２０ｂや導体線３２ａ、３２ｂが断面円形の構造を開示しているが、断面平角状であってもよい。
【００７８】
また、抵抗線材２０ａ、２０ｂを直線状に配置した構造を示しているが、図１３に示される如く、絶縁性芯材３６に抵抗線材２０ａ、２０ｂを所定ピッチで螺旋状に巻き付けた構造として利用する構造であってもよい。この際、絶縁性芯材３６としては、例えば、ナイロン、アラミド、ポリエステル等の線材もしくは繊維、またはそれら線材（繊維）の表面を弾性絶縁材料で被覆した構造等がある。
【００７９】
さらに、図１４に示される如く、絶縁性芯材３６が、その中心に沿って導体３７が通された構造（例えば、被覆電線等）とされた場合にあっては、その一端部でその導体３７と巻き付けられた抵抗線材２０ａ、２０ｂとを互いに短絡することによって、第２の実施形態と同様、テープ状抵抗体部材１６の一端部のみに電極を集中配置させることができる。
【００８０】
図１５および図１６は第３の実施形態を示しており、前記第１の実施形態と同様構成部分は同一符号を付し、その説明を省略する。
【００８１】
即ち、本実施形態においては、第１の実施形態におけるテープ状抵抗体部材１６に換えて線状抵抗体部材４０とされ、絶縁性芯材３６の外周にニクロム線等からなる一方の抵抗線材４１を所定ピッチで螺旋状に巻き付けた中心抵抗体４２と、中心抵抗体４２の外周に位置して備えられた間隔保持用絶縁部材４３と、絶縁部材４３の外周に位置して備えられた他方の抵抗線材としての弾性導電チューブ４４とから構成され、スイッチ操作部材１７を介して弾性導電チューブ４４が押し操作された際、弾性導電チューブ４４が弾性変形して巻き付けられた絶縁部材４３間の隙間を通じて抵抗線材４１に短絡されるように構成されている。
【００８２】
前記絶縁部材４３としては、絶縁コーティングした金属線、例えばエナメル線からなり、中心抵抗体４２の外周面、即ち前記抵抗線材４１の外周側に位置して所定ピッチで横巻きされた構造とされている。
【００８３】
前記弾性導電チューブ４４としては、カーボン粉等の導体粉をシリコーンゴムの弾性材料に混入させてなる導電性シリコーンゴムチューブ等から構成されている。
【００８４】
この際、中心抵抗体４２と弾性導電チューブ４４とが単位長さあたり一定の同一抵抗値を有する構造としておけば、テープ状抵抗体部材１６と同様に使用して、前記第１の実施形態と同様の構成により処理部２５で長さ方向における各押し位置を判定することができる。
【００８５】
なお、本実施形態におけるスイッチ操作部材１７の押し操作部２１ａ内面側には、導電部材２２を装着する必要はない。
【００８６】
そして、図１６に示される如く、第１の実施形態と同様、保持枠体１３の嵌合口１３ａにディスプレイ１１が嵌合され、保持枠体１３のスイッチ収容溝１３ｂに沿って線状抵抗体部材４０が略環状に収容配置されると共に、スイッチ収容溝１３ｂの４辺それぞれにスイッチ操作部材１７の載置基部２１ｃ側が収容配置され、これらを覆ってカバーケース体１４が装着されている。この際、各スイッチ用開口１４ｂから各スイッチ操作部材１７の押し操作部２１ａが外面側に突出状とされる。
【００８７】
従って、本実施形態においても第１の実施形態と同様の効果が得られると共に、スイッチ収容溝１３ｂにおける各コーナー位置で線状抵抗体部材４０を折り返す必要がなく、組付性に優れる利点がある。
【００８８】
なお、上記各実施形態において、ライン状スイッチ１２がディスプレイ１１の各辺に沿って環状に配置された構造を示しているが、使用目的に応じて２辺や３辺に沿って配置される構造であってもよく、少なくとも一部の辺に沿って長く配置すればよい。
【００８９】
また、本実施形態のようなディスプレイ装置８に限られず、その他の機器の操作スイッチ装置１０としても同様に利用できる。
【００９０】
【発明の効果】
以上のように本発明の操作スイッチ装置によれば、スイッチがディスプレイの周辺の少なくとも一部の辺に沿って長く延びるライン状スイッチとされると共に、該ライン状スイッチにおける長さ方向異なる位置での押し操作された押し位置を判定する処理部が備えられてなるものであり、従来のスイッチのように押し位置が固定されず、スイッチの機能に応じて最適な配置を自由に設定することが可能であり、融通性に優れ、操作性に優れる操作スイッチ装置を提供でき、タッチパネルのように別途貼り付ける構造とは異なり、画質の劣化、画面の汚れ、表示エリアの圧迫等の問題も生じないという利点がある。
【００９１】
また、ライン状スイッチの各押し位置に応じたスイッチ機能がディスプレイの画面上に表示される構造とすれば、各種の操作スイッチ装置におけるそれぞれのスイッチ機能に応じた最適な配置を自由に設定して表示することができ、汎用性に優れる利点がある。
【００９２】
さらに、ディスプレイの画面上に表示されるスイッチ機能が、ライン状スイッチの押し操作に応じて、階層的に、変更表示可能とされている構造とすれば、操作性に優れる利点がある。
【００９３】
また、それぞれのスイッチ機能に応じて、ディスプレイの画面上に、各押し位置の配置、前記ライン状スイッチにおける長さ方向の押し位置の分割数および各押し位置の長さが、変更表示可能とされている構造とすれば、なお一層操作性に優れるという利点がある。
【図面の簡単な説明】
【図１】本発明の第１の実施形態にかかるライン状スイッチの部分斜視図である。
【図２】同第１の実施形態にかかるディスプレイ装置の要部断面図である。
【図３】ディスプレイ装置の分解斜視図である。
【図４】テープ状抵抗体部材の折返し部分の斜視図である。
【図５】ディスプレイ装置の画面表示状態の一例を示す斜視図である。
【図６】ディスプレイ装置の画面表示状態の別の一例を示す斜視図である。
【図７】操作スイッチ装置の構成を模式的に示す図である。
【図８】抵抗線材間の導通が生じた際の回路構成を模式的に示す図である。
【図９】操作時の押圧力または押圧量と抵抗線材間の接触抵抗との関係を示すグラフである。
【図１０】処理部による押し操作の入力受付処理のフローチャートである。
【図１１】スイッチ位置判定のためのテーブル構成を示す図である。
【図１２】第２の実施形態におけるテープ状抵抗体部材を示す一部斜視図である。
【図１３】別のテープ状抵抗体部材を示す一部斜視図である。
【図１４】別の抵抗線材を示す一部斜視図である。
【図１５】第３の実施形態における線状抵抗体部材を示す一部断面斜視図である。
【図１６】同ディスプレイ装置の分解斜視図である。
【図１７】従来のディスプレイ装置を示す斜視図である。
【符号の説明】
８  ディスプレイ装置
１０  操作スイッチ装置
１１  ディスプレイ
１１ａ  画面
１２  ライン状スイッチ
１３  保持枠体
１４  カバーケース体
１６  テープ状抵抗体部材
１７  スイッチ操作部材
２０ａ  抵抗線材
２０ｂ  抵抗線材
２１  操作部材本体
２２  導電部材
２３  スイッチ機能
２５  処理部
３２ａ  導体線
３２ｂ  導体線
３６  絶縁性芯材
３７  導体
４０  線状抵抗体部材
【図１】
2004179036.tif 000009
【図２】
2004179036.tif 000010
【図３】
2004179036.tif 000011
【図４】
2004179036.tif 000012
【図５】
2004179036.tif 000013
【図６】
2004179036.tif 000014
【図７】
2004179036.tif 000015
【図８】
2004179036.tif 000016
【図９】
2004179036.tif 000017
【図１０】
2004179036.tif 000018
【図１１】
2004179036.tif 000019
【図１２】
2004179036.tif 000020
【図１３】
2004179036.tif 000021
【図１４】
2004179036.tif 000022
【図１５】
2004179036.tif 000023
【図１６】
2004179036.tif 000024
【図１７】
2004179036.tif 000025